(57)【要約】【課題】  操作性に優れ、かつ扉面から大きく突出せず、鞄や衣服等を引っ掛ける危険性が少ない、新しい操作感覚を有するラッチ錠の操作部材を提供することを目標とする。【解決手段】  ベース部材と、角軸を備えた回転部材と、手動部材を設け、角軸が扉面に対して垂直方向に配置された状態で回転部材をベース部材に扉面と平行な面上で回動自在に装着する。次に扉面に対して垂直な面上にて揺動動作するようにベース部材に手動部材を配置する。手動部材と回転部材に連動凸部と連動凹部を振り分けて形成し、互いを直接係合させる。若しくは連動凸部と連動凹部を有した連動部材をその間に介在させて両者を連結する。その結果手動部材の揺動操作を回転カムと角軸の回転動作に変換することができ、すなわちラッチ錠の解錠が可能となる。そしてその状態を保持したまま扉を押し引きする動作により扉を開放可能とする。【選択図】        図１
2015127486.tif 000002
【特許請求の範囲】
【請求項１】
扉に装着された箱形状のラッチ錠のハブの角孔に角軸を挿入し、その角軸を一定角度回転させることでラッチが出没して施解錠するように構成されているラッチ錠の操作部材であって、ベース部材と、角軸を備えた回転部材と、手動部材を設け、角軸を備えた回転部材を角軸が扉面に対して垂直方向に配置された状態で回転部材が扉面と平行な面上で回動するようにベース部材に装着し、手動部材を扉面に対して垂直な面上にて略揺動動作可能なようにベース部材に配置し、回転部材と手動部材に連動部分を設けて互いを係合させた状態で組み込み、角軸をラッチ錠の角孔に挿入した状態でベース部材を扉面に装着し、手動部材を扉面に対して略平行な位置から略垂直な位置にまで揺動移動する操作にて、回転部材を所定の角度のみ回転させる動作を得ることにより、ラッチ錠を解錠可能としたことを特徴とするラッチ錠の操作部材。
【請求項２】
前記ベース部材は、扉面に密着する奥面とその両側から起立する垂直な側面とから形成された略コの字形状で、前記回転部材を、垂直に起立した角軸を備えかつ片端部に連動凹部を形成した回転カムとして構成し、連動部材に連動凹部と連動凸部を形成し、手動部材に連動凸部と軸心を設け、ベース部材の奥面に角軸を中心として回転動作可能なように回転カムを配置し、連動部材を直線移動のみ可能な状態でベース部材に装着し、さらに手動部材をベース部材の側面に軸心にて揺動自在に装着し、このとき回転部材の連動凹部と連動部材の連動凸部を係合させた状態で配置し、同時に手動部材の連動凸部に連動部材の連動凹部を係合させた状態で組み込み、手動部材の揺動操作を一旦連動部材の直線移動動作に変換し、さらに連動部材の直線移動動作にて回転カムの回転動作を得ることで、ラッチ錠を解錠可能とすることを特徴とする請求項１に記載のラッチ錠の操作部材。
【請求項３】
前記略コの字形状のベース部材は、扉面に密着する奥面とその両側から起立する垂直な側面とから形成され、前記回転部材を、垂直に起立した角軸を備えかつ片端部に連動凹部を形成した回転カムとして構成し、手動部材に連動凸部を形成しておき、さらにベース部材の側面と手動部材に２個所の円形ピンと直線形状の長孔と略湾曲形状の長孔を振り分けて形成し、直線形状の長孔と略湾曲形状の長孔に各々円形ピンを嵌め込んだ状態で両者を組み付け、このとき回転カムの連動凹部に手動部材の連動凸部を直接係合しておき、手動部材の扉面に対して垂直な面上での略揺動操作により、２個所の円形ピンが直線形状の長孔と略湾曲形状の長孔とを同時に移動しながら手動部材の連動凸部の先端が略直線移動する固有の動作にて回転カムの回転動作を得ることで、ラッチ錠を解錠可能としたことを特徴とする請求項１に記載のラッチ錠の操作部材。
【請求項４】
前記回転部材を、垂直に起立した角軸を備えかつ外周に歯部を形成した回転歯車として構成し、奥面とその両側から起立する垂直な側面とから形成された略コの字形状のベース部材に扉面と平行な面上で回動するように装着し、ベース部材の側面に軸心を設けて扉面に対して垂直な面上にて略揺動動作するように手動部材を装着し、手動部材には軸心を中心として配置された駆動歯車を一体化して装着しておき、このとき回転歯車の歯部と手動部材の駆動歯車の歯部を直結させた状態で係合させておき、手動部材の扉面に対して垂直な面上での略揺動動作にて回転歯車の回転動作を得ることで、ラッチ錠を解錠可能としたことを特徴とする請求項１に記載のラッチ錠の操作部材。
【請求項５】
前記回転部材を、垂直に起立した角軸を備えかつ外周に歯部を形成した回転歯車として構成し、奥面とその両側から起立する垂直な側面とから形成された略コの字形状のベース部材に回動自在に装着し、ベース部材の側面に軸心を設けて扉面に対して垂直な面上にて略揺動動作するように手動部材を装着し、手動部材には軸心を中心として配置された駆動歯車を一体化して装着しておき、さらに扉面に対して平行な横面と垂直な前面両方にラック部を形成した直角２面ラックを設け、ベース部材に対して直線移動のみ可能な状態で直角２面ラックを配置し、このとき回転歯車の歯部と直角２面ラックの横面のラック部を、同時に駆動歯車の歯部と直角２面ラックの前面のラック部を共に係合させておき、手動部材の扉面に対して垂直な面上での略揺動動作にて回転歯車の回転動作を得ることで、ラッチ錠を解錠可能とすることを特徴とする請求項１に記載のラッチ錠の操作部材。
【請求項６】
前記手動部材を両側板部とその間を繋いだ操作体取り付け面からなる略コの字にて形成し、操作体取り付け面に結合凸部を設けておき、操作体にも結合凹部を設けておき、結合凹部と結合凸部のどちらかにばね部材を有する固定ピースを配置しておき、手動部材の操作体取り付け面に操作体を嵌め込むことにより固定ピースを押しのけて結合凹部と結合凸部が嵌り合い、その後所定位置にて固定ピースがばね部材の力で元の位置に戻る動作により両者を確実に組み付けるワンタッチ固定機構を有し、さらに操作体の内側にて固定ピースを押し引きする動作でワンタッチ固定機構を解除でき、そのまま機構部分から操作体を離脱することができるように構成したことを特徴とする請求項１乃至５いずれか１項に記載のラッチ錠の操作部材。
【発明の詳細な説明】
【技術分野】
【０００１】
本発明は扉に取り付けられるラッチ錠の操作部材に関するものである。
【背景技術】
【０００２】
一般に扉４６に取り付けられるラッチ錠４２の操作部材としては、従来からレバーハンドル錠と呼ばれ、図２７に示すような略棒状のハンドル４４を手で握って上下方向に回転させることにより施解錠するものが知られている。上記の構成としては扉４６を挟み込むように部屋外と部屋内に装着した、ハンドル４４と、座４５と、角軸５と、からなる操作部材と、扉４６の厚み部分に掘り込んで配置した箱形状のラッチ錠４２とからなり、ハンドル４４に固定された角軸５をラッチ錠４２に設けてあるハブ４３の角孔１５に貫通させることによりラッチ錠４２とハンドル４４を連動させ、ハンドル４４を扉面と平行に角軸５を中心として回転させることにより角軸５が回転し、枠体の戸先面に設けたラッチ受けに対してラッチを出没させて施解錠する方式のものであり、通常ではハンドル４４を水平位置から下方に回転させて操作するのが一般的である。
【０００３】
また、これらのハンドル４４は手で握って操作するために比較的横方向に長い形状をしており、ハンドル４４の先端を握って体重を掛けて操作すると非常に大きな荷重がハンドル４４の角軸５とラッチ錠４２のハブ４３に掛かり、角軸５が捻れてしまったりハブ４３が破損することが想定されるため、現行品においては両者共に非常に高強度に設定されている。また同様の荷重がかかることにより、長期間の使用による角軸５とハンドル４４の固定個所がぐらつく不具合が頻繁に発生することが問題とされており、特開２００４−３３５６号公報や特開２００６−１０４８５７号公報等に解決方法が報告されている。
【０００４】
またハンドル４４は手で握って操作することが前提で、扉４６を押して開く側、引いて開く側の、どちら側からの開閉においてもハンドル４４を下方に一定角度回転させた状態で一旦保持し、そのままさらに扉４６を押し引きすることになり、比較的大きな動作が必要である。その結果扉面からかなり離れた位置にハンドル４４の握り手部分を持ち出しておかなければならないことになる。するとどうしてもハンドル４４の先端部分が扉面から突起状に出っ張った状態になり、通行の際にハンドル４４の先端部分に衣服を引っ掛けて破いてしまったり、鞄の紐等を引っ掛けて破損させるようなことが比較的頻繁に起こってしまう。
【特許文献１】特開２００４−３３５６号公報
【特許文献２】特開２００６−１０４８５７号公報
【発明の開示】
【発明が解決しようとする課題】
【０００５】
本発明は上記のような問題を解決するためになされたものであり、操作時に極端な大きな力が角軸やラッチ錠のハブに掛からないような構成を有しつつ、通常時には扉面からの突出寸法を小さく設定することで鞄の紐や衣服等を引っ掛ける危険性を排除でき、扉の開閉操作時においては、より優れた操作性を有するラッチ錠の操作部材を提供することを目標とする。
【課題を解決するための手段】
【０００６】
本発明では上記目的を達成するために次の技術手段を講じた。まず扉面に装着するための略コの字形状のベース部材と角軸を備えた回転部材と、操作体を装着する手動部材を設ける。次に角軸を備えた回転部材を角軸が扉面に対して垂直方向に配置された状態で回転部材が扉面と平行に回動するようにベース部材に装着する。そして手動部材を扉面に対して垂直な面上にて略揺動動作可能なようにベース部材に配置し、回転部材と手動部材に連動部分を設けて互いを係合させた状態で組み込んで操作部材の機構部分を構成する。若しくは回転部材と手動部材の間に連動部材を設けて、３者を互いに係合させた状態で組み込んで機構部分を構成する。そして機構部分の角軸をラッチ錠の角孔に挿入した状態で扉の両側から挟み込んで取り付け、その後に操作体を装着する。すると操作体の揺動操作により回転部材と角軸を回転させる動作が得られ、ラッチ錠を解錠することが可能になる。
【０００７】
ここで上記の動作を得る手段においては様々な構成が可能である。まずその最初の構成としては、前記略コの字形状のベース部材を、扉面に密着する奥面とその両側から起立する垂直な側面とから形成する。また前記回転部材を垂直に起立した角軸を備えかつ片端部に連動凹部を備えた回転カムとして形成しておく。そしてベース部材の奥面に角軸を中心として回転動作可能なように回転カムを配置する。次に手動部材に連動凸部と軸心を設け、手動部材をベース部材の側面に、扉面に対して垂直な面上で略揺動動作可能なように軸心を用いて装着する。そして連動凹部と連動凸部を形成した連動部材を設け、上下方向若しくは左右方向にのみ直線移動可能な状態でベース部材に装着する。このとき回転カムの連動凹部と連動部材の連動凸部を係合させた状態で配置し、同時に手動部材の連動凸部に連動部材の連動凹部を係合させた状態で組み込む。すると手動部材を扉面に対して略平行な位置から略垂直な位置にまで揺動移動する動作を一旦連動部材の直線移動動作に変換し、さらに連動部材の直線移動動作にて回転カムの回転動作を得ることができる。
【０００８】
そして、扉の両面から操作部材の機構部分の角軸をラッチ錠の角孔に挿入した状態でベース部材を扉面に装着する。このときベース部材は扉の両側に装着されることになり、したがってラッチ錠に対する最適な位置にベース部材が配置されるように取り付けねじ用の取り付け柱を設け、片方のベース部材の取り付け柱に皿孔を設け、他方の取り付け柱に雌ねじ部を設けておき、両者をラッチ錠に設けられた位置決め孔に差し込んだ状態で両者を引きつけて固定する。また角軸は両側の回転部材にあらかじめ分割した状態で固定しておき、扉に取り付けた状態でラッチ錠のハブの角孔内で両角軸が互いに面対するように設定しておくとよい。
【０００９】
また次の手段としては、上記のように手動部材と回転カムの間に連動部材を介在させて両者を連動させる手段ではなく、手動部材の連動凸部と回転カムの連動凹部を直角方向にて直接係合させる構成も可能である。しかし手動部材の動作がベース部材の側面に配置した軸心を中心とする単純な回転動作であれば、当然手動部材の連動凸部の先端は円弧軌跡を移動する動作になるため、回転動作と共にその先端位置が前後方向に移動してしまって回転カムの連動凹部から外れるような誤動作が起こることが懸念される。
【００１０】
そこでさらにベース部材の側面と手動部材に２個所の円形ピンと直線形状の長孔と略湾曲形状の長孔を振り分けて形成し、直線形状の長孔と略湾曲形状の長孔に各々円形ピンを嵌め込んだ状態で両者を組み付けるとよい。すると手動部材の揺動動作で２個所の円形ピンが直線形状の長孔と略湾曲形状の長孔内で規制案内されて移動する固有の動作が設定でき、条件的に優れていると想定される手動部材の連動凸部先端が上下若しくは左右方向に略直線移動する動作を得ることが可能である。すると回転カムの連動凹部に手動部材の連動凸部を直接係合した状態においても、手動部材先端の連動凸部が略直線移動するため両者が外れてしまうことは無く、手動部材の揺動操作にて回転カムの回転動作が得られ、その結果ラッチ錠を確実に解錠することが可能になる。
【００１１】
また別の構成としては、前記回転部材を垂直に起立した角軸を備えかつ外周に歯部を形成した回転歯車として構成し、奥面とその両側から起立する垂直な側面とから形成された略コの字形状のベース部材に回動自在に装着する。そしてベース部材の側面に軸心を設け、扉面に対して垂直な面上にて略揺動動作するように手動部材を装着する。このとき手動部材の側面に軸心を中心として駆動歯車を一体化して固定しておき、さらに回転歯車の歯部と手動部材の駆動歯車の歯部を直交させた状態で係合させておく。すると手動部材の回転操作にて回転歯車の回転動作を得ることができ、角軸の回転動作によりラッチ錠を解錠することができる。
【００１２】
しかし上記の歯車同士を直角方向にて直結させる構成は、歯車として基本となるインボリュート歯車では実施しにくい。さらには歯と歯の間隔が大きく開いた特殊な形状の歯を用いる必要が生じると共に、操作体を装着した手動部材の約９０度の揺動操作角度で、回転歯車と角軸の解錠動作のために必要な適正回転角度を設定するには制約が出てくる場合が想定される。また、別途の構成としては複数のかさ歯車を用いて回転方向を直角方向に変換することも可能であるが、上記の構成と同様に制約が多く、実際には使用しにくいと考えられる。そこで回転歯車と手動部材の駆動歯車の間に前記の連動部材に相当する直角２面ラックを挿入する、さらに別の構成が有効である。
【００１３】
その手段としては上記の構成と同様に、まず前記回転部材を、垂直に起立した角軸を備えかつ外周に歯部を形成した回転歯車として形成し、奥面とその両側から起立する垂直な側面とから形成された略コの字形状のベース部材に回動自在に装着し、ベース部材の側面に軸心を設けて扉面に対して垂直な面上にて略揺動動作するように手動部材を装着し、手動部材には軸心を中心として駆動歯車を一体化して装着しておく。そしてさらに扉面に対して平行な横面と垂直な前面の両方にラック部を形成した直角２面ラックを設け、ベース部材に対して上下方向若しくは左右方向のみに直線移動可能に規制された状態で配置する。このとき回転歯車の歯部と直角２面ラックの横面のラック部を、同時に駆動歯車の歯部と直角２面ラックの前面のラック部を共に同時に係合させておく。すると手動部材の揺動操作を直角２面ラックの直線移動動作に一旦変換し、その直角２面ラックの直線移動動作により回転歯車の回転動作を得ることができ、すなわちラッチ錠を解錠することが可能になる。
【００１４】
次に操作部材の機構部分の手動部材に、実際に触れて操作を行うと共に外観意匠にもなるハンドルに相当する操作体を取り付ける。その最も単純な構成としては手動部材を略コの字形状にて形成し、その両側板部をベース部材の側面に近接させて揺動動作可能なように組み付け、手動部材の両側板部を繋ぐ面を操作体取り付け面として形成し、この面に雌ねじ部分を設け、同様の取り付け面を有した操作体を被せるようにしてねじにて固定する方法が簡単でよい。しかし作業としては手動部材を扉と垂直になる程度揺動させた状態で内側からねじ止めする作業になり、さらに扉の両側２個所にて実施しなければならないため施工性としてはそれほど良いとは想定されない。
【００１５】
そこで前記手動部材の操作体取り付け面に結合凸部を設けておき、操作体にも結合凹部を設けておき、結合凹部と結合凸部のどちらかにばね部材を備えた固定ピースを配置し、手動部材の操作体取り付け面に操作体を嵌め込むことにより結合凹部と結合凸部が嵌り合って固定ピースにより両者を確実に組み付けるワンタッチ固定機構を設けておくとよい。そしてさらに操作体を扉とほぼ垂直位置に揺動操作した状態で操作体の内面から固定ピースを指で押さえる等の手段を設けてワンタッチ固定機構を解除することができるようにしておくと、簡単に機構部分から操作体を着脱することも可能になる。
【００１６】
また上記での説明においては、通常操作体はベース部材に被さって扉面と略平行な状態で配置されており、解錠の操作としては扉面と操作体の間に指等を挿入して操作体の取っ手部分を約９０度揺動させる動作になる。そしてこの動作にて角軸を有する回転部材がラッチ錠を解錠する所定の角度だけ回転するように設定しておくことが必要である。するとラッチ錠の解錠状態で操作体がほぼ扉面と垂直になっているため、扉を引いて開ける側ではそのまま引く動作に移行することで扉を開放することができる。また押して開ける側においても操作体がほぼ垂直になっているため、その後の扉を押す動作で操作体が元の位置に戻ることはなく、そのまま扉を開放することができる。また、扉を押し引きして開放する段階では操作体の取っ手部分は扉面からかなり離れた位置に移動しているため、さらに操作を容易に実施できる構成になっている。
【００１７】
次に前述のように、施錠状態から操作体を操作したときに、回転部材がラッチ錠を解錠するために必要な所定の角度だけ回転した段階で強制的に停止する構成が必要である。その手段としては、ベース部材の側面に複数の停止突起を設け、手動部材が揺動動作する両端角度位置にて停止突起に当接して確実に動作が停止するように設定しておくとよい。すると操作体を思いっきり動作させても停止突起にて荷重を受けることになり、角軸には適正に解錠した角度位置以上には回転力は掛からないことになり、角軸の耐久性や強度面において非常に有効である。また操作体の位置を扉面からかろうじて指等を挿入できる程度に設定することで、扉面からそれほど突出していないデザイン性に優れた形状にすることが可能である。さらに操作体の側面をなだらかな面にて形成しておくことで、通行時の衣服を引っ掛ける等の危険性を阻止することができる。そしてベース部材に操作体が被さらない範囲においては別途化粧カバーを装着しておくとよい。
【００１８】
ここで実際の操作に適した操作部材の配置としては、操作体の取っ手部分をベース部材から垂れ下がった位置から上方向に揺動させながら持ち上げて操作する構成が主と想定される。また逆に施錠状態で手動部材の操作体取り付け面がベース部材より上側に配置され、操作体を上側から下向きに揺動操作することで解錠する構成も可能である。しかし後者の場合は操作体が垂直位置になった状態から手を放すと自然にもとの上方向に復帰するためのばね部材を装着しておく必要がある。また下方向から操作体を持ち上げる前述の構成においても、自重により元の位置に復帰すると想定はされるものの、より確実性を高めるためには同様に復帰用のばね部材を装着しておくとよい。さらには機構部分全体を角軸を中心として前述の位置に対して９０度回転させて縦向きに配置し、扉面に対して縦方向の軸を中心に揺動操作する構成も可能であり、この配置では従来のプッシュプルハンドルに若干近い横方向への操作体の動きにて解錠することになる。しかし扉面と略平行な状態から操作体を一旦約９０度揺動操作してから扉を押し引きする動作は本発明の構成独自のものである。またこの横向での配置においては、ベース部材の取り付け柱の位置を変更しないで済むような構成にしておけばさらに汎用性が高まると想定される。
【発明の効果】
【００１９】
従来のレバーハンドル錠やプッシュプル錠のようなハンドル端部の突出した部分を回転させたり押し引きする操作ではなく、扉面に装着された操作部材の操作体を扉面に対して略平行な位置から略垂直な位置まで揺動動作させる操作でラッチを没し、そのまま扉を押し引きして開放する新しい操作感覚を有した構成であり、操作部材自体が平坦な形状になり、その厚みも比較的薄くすることができ、極端な突起状の部分は全く無く、通行時に鞄の紐や衣服等を引っ掛ける危険性を排除することができる。
【００２０】
操作部材の配置と操作体の操作方向においては、操作体の取っ手部分を下方向から上に揺動動作させる構成や、若しくは上方向から下に揺動動作させる構成や、操作部材を縦方向に配置して操作体を戸先側横方向に揺動動作させる等の様々な配置や操作感が可能になり、デザイン性においても幅広く展開可能である。またどの配置においても一旦操作体が扉面に対してほぼ垂直になり、取っ手部分が扉面からかなり離れた状態での押し引き操作になるため、ドアクローザーが装着されていて比較的開閉が重たい扉等においても、非常に力が入れやすいため容易に扉を開閉することが可能になる。
【００２１】
ベース部材を扉面に確実に固定して、ベース部材に対して回転部材や手動部材を保持する構成であり、解錠時に操作体を揺動動作する力はラッチ錠を没するのに必要な最低限の力でよく、それ以上の荷重がかかった場合にはベース部材と手動部材にてその負荷を完全に受けるようになっている。その結果角軸やラッチ錠のハブ等に掛かる荷重も非常に小さいと想定される。またレバーハンドル錠のようにハンドルにぶら下がる等の無茶な操作ができない形状であり、手動部材とベース部材に停止突起を設けて操作時の必要以上の荷重を受けるように構成することで、極端な大きな力が角軸やラッチ錠のハブに掛かることは無く、強度面や耐久性能面で非常に有利である。
【００２２】
角軸を回転させることで施解錠する従来のラッチ錠をそのまま使用することができる。また操作部材全体としても、ベース部材と回転部材と手動部材のみの簡易な部品構成にて実施できるため、安価に供給可能であり誤作動の危険性も少ない。
【発明を実施するための最良の形態】
【００２３】
以下図面に基づいて本発明の実施の形態を説明する。図１は本発明のラッチ錠の操作部材の最初の構成の機構部分の斜視図であり、ベース部材１と回転カム２と連動部材３と手動部材４を主部材として構成される。また図２はベース部材１の斜視図であり、図３は角軸５を備えた回転カム２の斜視図であり、図４はブッシュ６の、図５は連動部材３の斜視図である。そしてベース部材１は図２に示すように略コの字形状で、扉面に密着させて固定する奥面７とその両側から起立する垂直な側面８とから形成する。そして奥面７の外側に取り付け用柱９を左右方向に２本起立した状態で配置し、その間にブッシュ挿入孔１０を設けておく。そしてさらに両側面８に軸心挿入孔１１を設け、中間位置付近にガイド面１２を形成しておく。また上下方向の面も一部曲げ込んで、上部に回転カム２の動作を規制するための停止辺１３を設けておく。
【００２４】
次に図３は角軸５を備えた回転部材としての回転カム２の斜視図であり、板状の回転カム２の片端に連動凹部としてのＵ字溝１４を形成しておく。そして角軸５を回転カム２の中央位置に垂直方向に固定しておく。また図４はブッシュ６の斜視図であり、段付の高さの低い円柱形状で、中央部分に角孔１５を設けておく。次に図５は連動部材３の斜視図であり、横方向に長い略直方体形状で片端に連動凸部としての連動ピン１６を設け、左右方向の両端をガイド面１２として形成し、他端前面に連動凹部としてのＶ字凹部１７を形成しておく。
【００２５】
そして図６に示すように、まずブッシュ６をベース部材１のブッシュ挿入孔１０に嵌め込み、回転カム２の角軸５をブッシュ６の角孔１５に挿入した状態で回転カム２がベース部材１に対してがたつき無く空転するように配置する。この回転カム２を空転保持する手段は特に限定されないため図示はしていないが、Ｅリングのような部材を用いて抜け落ちることなく円滑に回動するように構成しておくとよい。そして連動部材３の連動ピン１６を回転カム２のＵ字溝１４に係合させ、同時に連動部材３の両端のガイド面１２とベース部材１のガイド面１２を互いに近接させた状態でベース部材１に連動部材３を上下方向のみに規制された状態でかつ円滑に移動できるように組み付ける。このとき、連動部材３とベース部材１の下部面の間にばね部材としての圧縮ばねを配置して、常に連動部材３を上方向に持ち上げるように付勢しておくとよい。またベース部材１に対して連動部材３が最も上方に位置する図６に示す状態で、回転カム２に固定されている角軸５の四角の面が上下左右に向いているように設定しておく。
【００２６】
図７は連動部材３の上下移動動作に対する回転カム２の回転動作を示す正面軌跡図であり、図６と同じ状態である図７(ａ)に示す操作前の位置から、連動部材３をガイド面１２に規制された状態で下方に押し下げると、図７(ｂ)に示すように連動ピン１６がＵ字溝１４内を滑りながら回転カム２を回転させる動作が得られる。そしてそのまま放置すると圧縮ばねにより元の位置に戻るように構成されている。そして図１に示すように、両側板部１８とそれらを連結する操作体取り付け面１９からなるコの字形状の手動部材４を設け、手動部材４の側板面１８の先端に突起部２０を設けておき、両手動部材４の側板部１８に軸心２１を設けてベース部材１の側面８の軸心挿入孔１１に差し込むことにより両者を揺動自在に組み付ける。そしてこのとき手動部材４の突起部２０が連動部材３のＶ字凹部１７にある程度深くにまで嵌った状態にしておく。また手動部材４の操作体取り付け面１９に雌ねじ部２２を形成し、手動部材４とベース部材１の両方に被さるような形状の操作体２３を設け、取り付けねじにて手動部材４の操作体取り付け面１９の雌ねじ部２２に螺合することで両者を固定する。
【００２７】
図８は上記の状態から操作体２３を上方向に揺動操作したときの側面軌跡図であり、図８(ａ)は操作前の状態を示しており、連動部材３はベース部材１内で最も上部に位置しており、操作体２３は扉面に対してほぼ平行な位置にてぶら下がったような状態になっている。この状態から操作体２３下部の取っ手部分２４を上方向に揺動操作すると、図８(ｂ)に示すようにＶ字凹部１７内の手動部材４の突起部２０が連動部材３を押し下げる動作になり、操作体２３が約９０度揺動した図８(ｃ)の段階にまで至る。したがってこの図８(ｃ)の状態で図７に示すラッチ錠４２を解錠するために必要な回転カム２の回転角度が得られるように設定しておくとよい。また図８に示すようにベース部材１の側面８に各２箇所ずつ停止突起２５を設けておき、手動部材４の揺動範囲を規制しておくとよい。すると思いっきり操作体２３を持ち上げた状況においても停止突起２５にて手動部材４の側板部１８端部が当接して停止し、その段階で操作時の荷重が全て受け止められるため、連動部材３や回転カム２や角軸５にはそれ以上の力は掛からないことになり、強度面において非常に有効とされる。
【００２８】
また図８は操作体２３によるラッチ錠４２の解錠動作の軌跡図であり、実際での扉４６の開閉においては解錠後に扉４６を押し引きすることが必要である。つまり実際の操作としては図８(ａ)の状態から指等にて操作体２３下部の取っ手部分２４を引っ掛けて図８(ｃ)の位置まで持ち上げ、そのまま操作体２３を押し引きすることで扉４６を開放する順序になる。したがって扉４６を押して開放する側引いて開放する側どちらにおいても解錠操作自体は同じである。またここで、図８(ｃ)の位置から扉４６を引いて開放する場合はそのままの一連の動作にて操作可能である。ところが押して扉４６を開放する場合は図８(ｃ)の状態から押す操作を実施することになり、この動作で操作体２３が下方に戻るような力が掛かるとよくないため、この図８(ｃ)の操作体２３の揺動角度が約９０度で、ほぼ扉面に垂直になることが必要条件として挙げられる。
【００２９】
図９は扉４６に装着した状態でのラッチ錠の操作部材の外観斜視図であり、デザイン性も重要であるため、操作体２３で覆い被せることのできないベース部材１の上部範囲には化粧カバー２６を取り付けておくとよい。また操作体２３の取っ手部分２４と扉面との隙間を指が入れにくくならない程度の最小寸法に設定しておくことで、全体としてフラット感がある形状を得ることができ、通行時に衣服や鞄の袖を引っ掛けるような危険性を低減させることが可能になる。また操作体２３の形状は手動部材４に装着する結合部分さえ有しているならば他の部分は任意であり、様々なデザインにて実施することができる。
【００３０】
また次の構成としては、前述での連動部材３を用いずに、回転カム２のＵ字溝１４と手動部材４の突起部２０を直接直角方向に係合させることも可能である。この構成においても、ベース部材１にブッシュ６と角軸５を備えた回転カム２を空転するように配置するのは前述と同様である。しかし手動部材４の動作が、そのままのベース部材１の側面８に配置した軸心２１を中心とする単純な回転動作であれば、当然手動部材４の先端の突起部２０は円弧軌跡を移動する動作になるため、回転動作と共にその先端位置が前後方向に移動してしまい、回転カム２のＵ字溝１４の厚みが極端に大きい場合でもない限り突起部２０がＵ字溝１４から外れてしまうような誤作動が生じることが想定される。
【００３１】
そこでさらに図１０に示すような直線長孔２８と略湾曲長孔２９を有した軌跡設定板２７を設け、ベース部材１の側面８の内側に装着しておく。また図１１は手動部材４に操作体２３を装着した状態の側面図であり、手動部材４の側板部１８に２個所の円形ピン３０を外側に向かって突出させた状態で配置しておく。そして図１２に示すように軌跡設定板２７の直線長孔２８と略湾曲長孔２９に２個の円形ピン３０が嵌り込んだ状態で両者を組み込む。そして同時に回転カム２のＵ字溝１４に手動部材４の突起部２０を係合させた状態にしておく。すると図１３に示すように手動部材４の揺動動作で２個所の円形ピン３０が直線長孔２８と略湾曲長孔２９とに案内されるため固有の動作を得ることができ、手動部材４の突起部２０の先端が略上下平行移動する軌跡を設定することが可能になる。
【００３２】
すると図１４(ａ)に示す施錠状態から取っ手部分２４を持って揺動操作すると、図１４(ｂ)の位置付近で突起部２０が手前方向に移動し、図１４(ｃ)に示す解錠状態に至る動作になる。その結果回転カム２のＵ字溝１４に手動部材４の突起部２０を直接係合した状態においても、手動部材４先端の突起部２０が上下方向に略平行移動するため両者が外れてしまうことは無く、手動部材４の揺動操作にて円滑な回転カム２の回転動作が得られる。またこの構成では、図１４(ａ)や図１４(ｃ)の位置において傾いた回転カム２のＵ字溝１４に同じく傾いた手動部材４の突起部２０が直交した状態で係合することになるため、両者の当接条件はあまり優れているとはいえない。そこでＵ字溝１４の内コーナー部分と突起部２０の外コーナー部分の両方に比較的大きめのＣ面もしくはＲ面を設けておくとよい。
【００３３】
また別の構成としては、前記回転部材を垂直に起立した角軸５を備えかつ外周に歯部３２を形成した図１５に示すような回転歯車３１として構成し、前述と同様の奥面７とその両側から起立する垂直な側面８とから形成された略コの字形状のベース部材１に回動自在に装着する。そして手動部材４には図１６に示すように、駆動歯車３３を片方のみの側板面１８に軸心２１を中心として一体化して固定しておき、図１７に示すようにベース部材１の軸心挿入孔１１に軸心２１を嵌め込んで、扉面に対しての水平軸を中心に揺動するように手動部材４を装着する。そしてこのとき回転歯車３１の歯部３２と手動部材４の駆動歯車３３の歯部３２を直結させた状態で係合させておく。すると手動部材４の揺動操作にて回転歯車３１の回転動作を得ることができ、角軸５の回転動作によりラッチ錠４２の解錠を可能とすることができる。
【００３４】
しかしこの歯車同士を直角方向にて直結させる構成は、全体を組み付けた側面図である図１８に示すように、歯と歯の間隔が大きく開いた特殊な形状の歯車を用いる必要性が生じる。また操作体２３を装着した手動部材４の約９０度の揺動操作角度で、回転歯車３１と角軸５の解錠動作のために必要な適正な回転角度を得るように設定するためには、様々な制約が出てくる場合が想定される。さらには歯車として基本となるインボリュート歯車では実施しにくく、操作時にガタツキや遊びが生じることが改良の余地として残ると考えられる。また両歯車を直角方向に直結させる構成としては、図示はしないが歯形状が４５度傾斜している複数のかさ歯車を用いて回転方向を直角方向に変換することも可能である。しかしこのかさ歯車を用いる手段も上記と同様に、かさ歯車のサイズの問題や、手動部材４の回転角度に対する回転歯車３１の回転角度の設定の点で制約が多く、実際には使用しにくいと考えられる。
【００３５】
そこでさらに別の構成として、回転歯車３１と手動部材４の駆動歯車３３の間に前記の連動部材３に相当する直角２面ラック３４を挿入する構成が有効である。その手段としては上記の構成と同様に、まず前記回転部材を、垂直に起立した角軸５を備えかつ外周に歯部３２を形成した図１９に示すような回転歯車３１として形成し、奥面７とその両側から起立する垂直な側面８とから形成された略コの字形状のベース部材１に回動自在に装着する。また前記と同様に手動部材４の側板部１８に駆動歯車３３を配置して、軸心２１を中心として一体化しておき、ベース部材１の側面８に扉面に対して水平軸を中心に揺動するように手動部材４を装着する。
【００３６】
そして次に扉面に対して横面と前面の両方にラック部３５を形成した図２０に示す形状の直角２面ラック３４を設け、図２１に示すように回転歯車３１の歯部３２と直角２面ラック３４の横向きのラック部３５を、同時に駆動歯車３３の歯部３２と直角２面ラック３４の前向きのラック部３５を共に係合させた状態でベース部材１に対して上下方向のみに移動可能な状態で配置する。また図２２はさらに手動部材４に操作体２３を取り付けた状態での軌跡を示す側面図であり、図２２(ａ)の状態から操作体２３を上方向に揺動動作させると、図２２(ｂ)に示すように手動部材４の揺動操作にて一旦直角２面ラック３４の上下動作に変換し、その直角２面ラック３４の上下動作により回転歯車３１の回転動作を得ることができ、その結果ラッチ錠４２を解錠することが可能になる。
【００３７】
またここで必要となる条件としては、回転歯車３１が解錠に必要な回転角度を得るための直角２面ラック３４の移動距離と、操作体２３を約９０度回転させたときの駆動歯車３３を介した直角２面ラック３４の移動距離を同じにすることが重要であり、この作業は駆動歯車３３のピッチ円半径すなわち単位角度あたりの歯数を適宜設定することで容易に可能である。またこの構成においては、図２２に示すように歯の形状は最も一般的なインボリュート歯車でよく、操作時のガタツキや遊びも最小限に低減でき、良好な操作感が得られると考えられる。
【００３８】
また上記での各々の構成においても共通することとして、施工時における扉面への取り付け作業の簡易化が重要とされている。その点においては、前述でのどの構成においても図１に示す状態の操作部材の機構部分を一旦扉４６の両面に配置して、取り付けねじにて扉４６を挟み込むようにして固定する作業は、図２７に示す従来のレバーハンドル錠での座４５にて扉４６を挟み込むようにして固定する手順とほぼ同じである。そしてレバーハンドル錠においては、その後扉４６の両側から角軸５を有したハンドル４４と角孔１５を有したハンドル４４を互いに差し込んで固定するのみの作業で完了する。ところが本発明の操作部材においては図８や図１４や図２２等にて表記しているように、手動部材４の操作体取り付け面１９の雌ねじ部２２に操作体２３を被せるようにして嵌め込んでねじにて固定する必要があり、また扉４６の両側の操作体２３にて同様の作業を実施しなければならないため、施工性においてはさらに簡易に実施できるように発展させる必要性が有ると想定される。
【００３９】
そこでその具体的な一例としては、図２３に示すように手動部材４の操作体取り付け面１９に結合凸部としての複数の結合ピン３６を設けておき、図２４に示すように操作体２３にも結合凹部としての、操作体取り付け面１９ががたつき無く嵌め込まれるような２枚の面からなる差込凹部３７を設け、その面に結合ピン挿入溝３８を形成しておく。そして押し込み傾斜面４０と保持傾斜面４１を有した固定ピース３９を差込凹部３７の結合ピン挿入溝３８に直行する配置で一定方向にのみスライド移動するように配置し、さらに固定ピース３９に圧縮ばねを付勢させて常に片方向に戻ろうとするように構成しておく。
【００４０】
図２５は上記の構成の上面模式図であり、２ヵ所の結合ピン挿入溝３８を有した差込凹部３７に、押し込み傾斜面４０と保持傾斜面４１を有した固定ピース３９を２個一定方向にのみ移動できるように規制した状態で対称な位置にて配置し、その間に圧縮ばねを両固定ピース３９を互いに押し広げようとする方向に付勢させた状態で組み込んでおく。このとき結合ピン３６が結合ピン挿入溝３８に挿入された段階で先に当接する前面部分に角度の大きな押し込み傾斜面４０を設けておき、その逆側に角度の極小さな保持傾斜面４１を形成しておく。また図２５では解りやすく表記するために、手動部材４においては、操作体取り付け面１９に設けた結合ピン３６のみを円形表記にて表示しておく。そして、さらに固定ピース３９の端部が差込凹部３７の端部から一定距離突出しているように設定しておくとよい。
【００４１】
図２５(ａ)は、図２３に示す構成の手動部材４の操作体取り付け面１９に図２４に示す操作体２３を組み付ける際の、結合ピン３６が結合ピン挿入溝３８に差し込まれる直前の状態を示しており、この状態から手動部材４の操作体取り付け面１９を差込凹部３７に差し込むと、図２５(ｂ)に示すように結合ピン３６が固定ピース３９の押し込み傾斜面４０に当接して圧縮ばねを撓ませながら横方向に固定ピース３９を移動させ、さらに図２５(ｃ)に示すように結合ピン３６が結合ピン挿入溝３８の最奥の所定の位置に達した状態で固定ピース３９が圧縮ばねの力により戻り、結合ピン３６が結合ピン挿入溝３８から抜けないように両者を装着することができる。そしてこの図２５(ｃ)の状態で結合ピン３６は固定ピース３９の保持傾斜面４１に接した状態になり、この微小な傾斜面で結合ピン３６を常に結合ピン挿入溝３８の奥方向に押し付けた状態で保持することが可能になるため、ガタツキのない完全に噛み込んだ状態での操作体２３の装着が、嵌め込むだけのワンタッチでの動作にて実施することが可能になる。
【００４２】
図２６は図２５(ｃ)に示す状態での全体の側面図であり、操作体２３の差込凹部３７にガタツキ無く手動部材４の操作体取り付け面１９を嵌め込むことで上下方向の遊びをなくし、同時に固定ピース３９の保持傾斜面４１と結合ピン３６にて前後方向の遊びを無くすことが可能になる。また操作体２３を離脱する手段としては、図２５(ｃ)の状態から両固定ピース３９の端部を指で押し込むと図２５(ｂ)の状態にすることができ、この状態を保持したまま操作体２３を手前に引くと機構部分から操作体２３を外すことができる。またワンタッチでの着脱機構は上記の構成に限ったものではなく、結合凹部と結合凸部のどちらかにばね部材を有する固定ピース３９を配置しておき、手動部材４の操作体取り付け面１９に操作体２３を嵌め込むことにより結合凹部と結合凸部が嵌り合って固定ピース３９により両者を確実に組み付ける構成であれば他のどのような手段を用いてもよい。
【図面の簡単な説明】
【００４３】
【図１】本発明のラッチ錠の操作部材の、最初の構成の機構部分の斜視図である。
【図２】本発明のラッチ錠の操作部材の、ベース部材の斜視図である。
【図３】本発明のラッチ錠の操作部材の、角軸を備えた回転カムの斜視図である。
【図４】本発明のラッチ錠の操作部材の、ブッシュの斜視図である。
【図５】本発明のラッチ錠の操作部材の、最初の構成の連動部材の斜視図である。
【図６】本発明のラッチ錠の操作部材の、最初の構成でのベース部材に回転カムと連動部材を組み付けた状態の斜視図である。
【図７】本発明のラッチ錠の操作部材の、最初の構成での連動部材の上下移動による回転カムの回転動作を示す軌跡図である。
【図８】本発明のラッチ錠の操作部材の、最初の構成での操作体を装着した手動部材の揺動動作を連動部材の上下移動動作に変換する側面軌跡図である。
【図９】本発明のラッチ錠の操作部材を扉面に装着した状態の斜視図である。
【図１０】本発明のラッチ錠の操作部材の、次の構成の軌跡設定板の平面図である。
【図１１】本発明のラッチ錠の操作部材の、次の構成の手動部材に操作体を取り付けた状態の側面図である。
【図１２】本発明のラッチ錠の操作部材の、次の構成の機構部分の正面図である。
【図１３】本発明のラッチ錠の操作部材の、次の構成の軌跡設定板と円形ピンを用いた突起部の動作を示す連続軌跡図である。
【図１４】本発明のラッチ錠の操作部材の、次の構成の解錠操作を順に示した側面軌跡図である。
【図１５】本発明のラッチ錠の操作部材の、別の構成の回転歯車の平面図である。
【図１６】本発明のラッチ錠の操作部材の、別の構成の駆動歯車を手動部材に装着した正面図である。
【図１７】本発明のラッチ錠の操作部材の、別の構成の機構部分の正面図である。
【図１８】本発明のラッチ錠の操作部材の、別の構成の組み付け側面図である。
【図１９】本発明のラッチ錠の操作部材の、さらに別の構成の回転歯車の平面図である。
【図２０】本発明のラッチ錠の操作部材の、さらに別の構成の直角２面ラックの平面図である。
【図２１】本発明のラッチ錠の操作部材の、さらに別の構成の機構部分の正面図である。
【図２２】本発明のラッチ錠の操作部材の、さらに別の構成の解錠操作を示す側面軌跡図である。
【図２３】本発明のラッチ錠の操作部材の、操作体を手動部材にワンタッチで装着する構成の、機構部分の側面図である。
【図２４】本発明のラッチ錠の操作部材の、操作体を手動部材にワンタッチで装着する構成の、操作体の側面断面図である。
【図２５】本発明のラッチ錠の操作部材の、操作体を手動部材にワンタッチで装着する構成の、嵌め込み固定動作を順に示す上面模式図である。
【図２６】本発明のラッチ錠の操作部材の、操作体を手動部材にワンタッチで装着する構成の、装着後の側面図である。
【図２７】従来のラッチ錠と、台座とハンドルと角軸からなるレバーハンドル錠の斜視図である。
【符号の説明】
【００４４】
１      ベース部材
２      回転カム
３      連動部材
４      手動部材
５      角軸
６      ブッシュ
７      奥面
８      側面
９      取り付け用柱
１０    ブッシュ挿入孔
１１    軸心挿入孔
１２    ガイド面
１３    停止辺
１４    Ｕ字溝
１５    角孔
１６    連動ピン
１７    Ｖ字凹部
１８    側板部
１９    操作体取り付け面
２０    突起部
２１    軸心
２２    雌ねじ部
２３    操作体
２４    取っ手部分
２５    停止突起
２６    化粧カバー
２７    軌跡設定板
２８    直線長孔
２９    湾曲長孔
３０    円形ピン
３１    回転歯車
３２    歯部
３３    駆動歯車
３４    直角２面ラック
３５    ラック部
３６    結合ピン
３７    差込凹部
３８    結合ピン挿入溝
３９    固定ピース
４０    押し込み傾斜面
４１    保持傾斜面
４２    ラッチ錠
４３    ハブ
４４    ハンドル
４５    座
４６    扉
【図１】
2015127486.tif 000003
【図２】
2015127486.tif 000004
【図３】
2015127486.tif 000005
【図４】
2015127486.tif 000006
【図５】
2015127486.tif 000007
【図６】
2015127486.tif 000008
【図７】
2015127486.tif 000009
【図８】
2015127486.tif 000010
【図９】
2015127486.tif 000011
【図１０】
2015127486.tif 000012
【図１１】
2015127486.tif 000013
【図１２】
2015127486.tif 000014
【図１３】
2015127486.tif 000015
【図１４】
2015127486.tif 000016
【図１５】
2015127486.tif 000017
【図１６】
2015127486.tif 000018
【図１７】
2015127486.tif 000019
【図１８】
2015127486.tif 000020
【図１９】
2015127486.tif 000021
【図２０】
2015127486.tif 000022
【図２１】
2015127486.tif 000023
【図２２】
2015127486.tif 000024
【図２３】
2015127486.tif 000025
【図２４】
2015127486.tif 000026
【図２５】
2015127486.tif 000027
【図２６】
2015127486.tif 000028
【図２７】
2015127486.tif 000029